(57)【要約】【課題】  簡単な構成により、帯電装置の帯電ワイヤの長寿命化を図ることができる画像形成装置を提供することを目的とする。【解決手段】  感光体３１の幅方向に配設された帯電ワイヤ３２１に高電圧を印加してコロナ放電を発生させることにより、感光体３１上を所定電位に帯電させる帯電装置３２を備えた画像形成装置において、帯電装置３２は、ワイヤ回転手段７を有し、帯電ワイヤ３２１は、ワイヤ回転手段７に装着され、感光体３１の表面に対向して回転可能に構成されている。【選択図】  図４
2006153974.tif 000002
【特許請求の範囲】
【請求項１】
感光体の幅方向に配設された帯電ワイヤに高電圧を印加してコロナ放電を発生させることにより、前記感光体上を所定電位に帯電させる帯電装置を備えた画像形成装置において、
前記帯電装置は、ワイヤ回転手段を有し、前記帯電ワイヤは、前記ワイヤ回転手段に装着され、前記感光体の表面に対向して回転可能に構成されていることを特徴とする画像形成装置。
【請求項２】
前記ワイヤ回転手段は、前記帯電ワイヤを予め設定された角度ごとに回転できるように形成されていることを特徴とする請求項１に記載の画像形成装置。
【請求項３】
前記帯電ワイヤを帯電位置に位置決めする位置決め手段を更に備え、前記帯電ワイヤは、前記位置決め手段により、前記感光体に対して一定の位置に配置されることを特徴とする請求項１または請求項２に記載の画像形成装置。
【請求項４】
前記帯電ワイヤを帯電位置に位置決めするワイヤ付勢手段を更に備え、前記帯電ワイヤは、前記ワイヤ付勢手段により、前記位置決め手段側に付勢され、前記ワイヤ回転手段が前記帯電ワイヤを回転する際に、前記帯電ワイヤの付勢状態が解除されることを特徴とする請求項１乃至請求項３のいずれかに記載の画像形成装置。
【請求項５】
前記帯電装置は、前記帯電ワイヤを清掃する清掃手段を備えていることを特徴とする請求項１乃至請求項４のいずれかに記載の画像形成装置。
【請求項６】
前記ワイヤ回転手段を制御するワイヤ回転制御部と、前記ワイヤ付勢手段を制御するワイヤ付勢手段制御部と、を有する帯電ワイヤ回転制御手段を備え、前記ワイヤ付勢手段制御部は、画像形成枚数が予め設定された値に達した時点で、所定カウンタ枚数検知手段による回転指令信号に基づいて、前記帯電ワイヤの付勢状態が解除された後にワイヤ回転信号を発するとともに、前記ワイヤ回転制御部からのワイヤ回転停止信号を受けて、前記ワイヤ付勢手段により前記帯電ワイヤを付勢するよう制御し、前記ワイヤ回転制御部は、前記ワイヤ付勢手段制御部からの前記ワイヤ回転信号に基づいて、前記ワイヤ回転手段により前記帯電ワイヤを回転し、その後、前記ワイヤ回転停止信号を発することを特徴とする請求項４に記載の画像形成装置。
【発明の詳細な説明】
【技術分野】
【０００１】
本発明は、ファクシミリ装置、複写機及びプリンタ等の被記録用紙にトナー画像を形成する画像形成装置に関し、特に感光体上を所定電位に帯電させる帯電ワイヤを備えた帯電装置を、簡単な構成で長寿命化を図ることができるようにしたものである。
【背景技術】
【０００２】
一般的に、電子写真式の画像形成装置は、感光体の幅方向に配設された帯電ワイヤに高電圧を印加してコロナ放電を発生させることにより、感光体上を所定電位に帯電させる帯電装置を備えている。また、像担持体としての感光体の表面に形成された静電潜像をトナーにより現像してトナー像を形成する現像装置を備えている。
【０００３】
従って、このような画像形成装置にあっては、帯電装置の帯電ワイヤがトナーや放電時に発生する放電生成物等によって汚れると、帯電が不安定になり画像形成時に濃度むら等の画像不具合が発生する。このため、定期的に、又は画像不具合が発生したときに、ユーザやサービスマン等によって帯電ワイヤの清掃作業を行うか、帯電装置を交換しなければならず、多大な手間と工数を要していた。
【０００４】
従来、この対策として、例えば、帯電装置の帯電ワイヤを、繰り出し用プーリに巻きつけておき、定期的に、帯電ワイヤを送り出し、汚れた帯電ワイヤ部分を巻取り用プーリに巻取り、新しい帯電ワイヤ部分と交換するように構成したものがある。
（例えば、特許文献１参照）。
【特許文献１】特開平６−１２４０３６号公報
【発明の開示】
【発明が解決しようとする課題】
【０００５】
しかし、上述の特許文献１記載の構成では、新しい帯電ワイヤ部分を送り出す繰り出し用プーリ及び汚れた帯電ワイヤ部分を巻き取る巻取り用プーリが必要である。又、帯電ワイヤにテンションを掛けるため、帯電ワイヤを二重に掛け、しかも、トルクリミッタ機能を巻取り用プーリに内包する必要があり、勢いその構成が複雑となる。この結果、これらを構成する部品点数が増加するとともに、組立作業性が悪い等といった問題がる。
【０００６】
本発明は、上述した課題を解決するためになされたものであり、簡単な構成により、帯電装置の帯電ワイヤの長寿命化を図ることができる画像形成装置を提供することを目的とする。
【課題を解決するための手段】
【０００７】
上記目的を達成するために、請求項１記載の発明では、感光体の幅方向に配設された帯電ワイヤに高電圧を印加してコロナ放電を発生させることにより、感光体上を所定電位に帯電させる帯電装置を備えた画像形成装置において、帯電装置は、ワイヤ回転手段を有し、帯電ワイヤは、ワイヤ回転手段に装着され、感光体の表面に対向して回転可能に構成されている。
【０００８】
請求項２記載の発明では、ワイヤ回転手段は、帯電ワイヤを回転できるように形成されている。
請求項３記載の発明では、帯電ワイヤを帯電位置に位置決めする位置決め手段を更に備え、帯電ワイヤは、感光体に対して一定の位置に配設されるように位置決め手段により規制されている。
【０００９】
請求項４記載の発明では、帯電ワイヤを帯電位置に位置決めするワイヤ付勢手段を更に備え、帯電ワイヤは、ワイヤ付勢手段により、位置決め手段側に付勢され、ワイヤ回転手段が帯電ワイヤを回転する際に、帯電ワイヤの付勢状態が解除される。
【００１０】
請求項５記載の発明では、帯電装置は、帯電ワイヤを清掃する清掃手段を備えている。
請求項６記載の発明では、ワイヤ回転手段を制御するワイヤ回転制御部と、ワイヤ付勢手段を制御するワイヤ付勢手段制御部と、を有する帯電ワイヤ回転制御手段を備え、ワイヤ付勢手段制御部は、画像形成枚数が予め設定された値に達した時点で、所定カウンタ枚数検知手段による回転指令信号に基づいて、帯電ワイヤの付勢状態が解除された後にワイヤ回転信号を発するとともに、ワイヤ回転制御部からのワイヤ回転停止信号を受けて、ワイヤ付勢手段により帯電ワイヤを付勢するよう制御し、ワイヤ回転制御部は、ワイヤ付勢手段制御部からのワイヤ回転信号に基づいて、ワイヤ回転手段により帯電ワイヤを回転し、その後、ワイヤ回転停止信号を発する。
【発明の効果】
【００１１】
請求項１記載の発明の構成によれば、帯電ワイヤを、ワイヤ回転手段に感光体の表面に対向して回転可能に装着すればよいので、その構成は極めて簡単である。しかも、帯電ワイヤの感光体に対向している部分が汚れた場合、帯電ワイヤを回転させ、新しい部分を感光体に対向することにより、簡単に帯電装置を長寿命とすることができる。この結果、帯電ワイヤの汚れに起因する画像不具合を防止できる。
【００１２】
請求項２記載の発明の構成によれば、ワイヤ回転手段は、帯電ワイヤを回転するように構成しているので、感光体に対向する部分を、より確実に、汚れた部分から新しい部分に切り替えることができ、都合が良い。
【００１３】
請求項３記載の発明の構成によれば、帯電ワイヤは、感光体に対して所定位置である帯電位置に配設されるように位置決め手段により規制されているので、帯電ワイヤと感光体との距離が、常に帯電に適した距離となり、帯電ワイヤを回転した後においても、感光体の表面層を所定の電位に帯電させることができる。
【００１４】
請求項４記載の発明の構成によれば、帯電ワイヤは、位置決め手段側にワイヤ付勢手段により付勢され、ワイヤ回転手段により帯電ワイヤを回転する際には、ワイヤ付勢手段による付勢が解除されるので、回転操作の際に、帯電ワイヤを損傷することが無い。また、帯電ワイヤは、回転後においても所定位置に、簡単に配置することができるので、都合が良い。
【００１５】
請求項５記載の発明の構成によれば、帯電装置は、帯電ワイヤを清掃する清掃手段を備えているので、帯電ワイヤを回転した後、汚れた部分を簡単に清掃することができ、より帯電装置の長寿命化を図ることができ、都合が良い。
【００１６】
請求項６記載の発明の構成によれば、ワイヤ回転手段を制御するワイヤ回転制御部と、ワイヤ付勢手段を制御するワイヤ付勢手段制御部と、を有する帯電ワイヤ回転制御手段を設け、帯電ワイヤの感光体に対向している部分が汚れた場合、帯電ワイヤを回転させ、新しい部分を感光体に対向するように自動的に切り替えることができるので、都合が良い。
【発明を実施するための最良の形態】
【００１７】
以下に、本発明の具体的な実施形態について図面を参照しながら説明する。図１は、本発明の一実施形態に係る画像形成装置としての複写機に適用した場合の概略構成を示す概略構成図である。
【００１８】
図１に示す画像形成装置である複写機１は、感光体３１の幅方向に配設された帯電ワイヤに高電圧を印加してコロナ放電を発生させることにより、感光体３１上を所定電位に帯電させる帯電装置３２を備えている。複写機１本体の下部には、給紙部２が配設されている。この給紙部２の図において上方には、画像形成手段３が、また、この画像形成手段３の図において左側に定着手段４が配設されている。これら画像形成手段３および定着手段４の上方には、光学系部材などからなる画像読取手段５が配設されている。また、被記録用紙Ｐを給紙部２から画像形成手段３、定着手段４を経て用紙排出に至る用紙搬送部６が形成されている。
【００１９】
画像読取手段５は、コンタクトガラス５１の下方から原稿の画像面に向けて光を照射する、例えば、ＬＥＤアレイや蛍光管ランプなどの露光用光源５２と、露光用光源５２からの光を効率良く原稿の画像面に与えるための反射板５３を備えている。また、原稿の画像面で反射された原稿反射光を反射させるミラー５４、５５、５６と、ミラー５６からの反射光を導入して集光するレンズ群５７を備えている。更に、レンズ群５７で集光された原稿反射光を受光して電気信号（画像データ）に変換する、例えば、ＣＣＤなどの固体撮像部５８などを備えて構成されている。そして、この構成により原稿の画像情報を読み取り、読み取られた画像情報は、例えば、制御手段（不図示）の記憶部に記憶され、光走査ユニット３３に伝えられる。
【００２０】
給紙部２は、給紙カセット２１に積層載置された被記録用紙Ｐの束を１枚ずつ用紙搬送部６に給紙するようになっている。用紙搬送部６は、給紙部２から給紙された被記録用紙Ｐを、搬送ローラ対２２およびレジストローラ対２３によって画像形成手段３に向けて搬送される。画像形成手段３において所定のトナー画像が形成された被記録用紙Ｐは、定着手段４に搬送されて定着され、定着を終えた被記録用紙Ｐは、排出ローラ対２４によって排出トレイ２５上に排出するようになっている。
【００２１】
画像形成手段３は、電子写真プロセスによって被記録用紙Ｐに所定のトナー像を形成するものであり、回転可能に軸支された、例えば、ドラム状の感光体３１を備えている。また、感光体３１の周囲には、その回転方向に沿って、帯電装置３２、光走査ユニット３３、現像ユニット３４、転写ユニット３５、クリーナー３６および除電ユニット３７を備えている。帯電装置３２は、コロナ放電によって感光体３１の表面に所定電位を与えるものである。光走査ユニット３３は、画像読取手段５によって読み取られた原稿の画像情報に応じて変調された光ビーム、例えば、レーザビームＬを感光体３１に照射する。これにより、感光体３１の表面の電位を選択的に減衰させて、この感光体３１の表面である被走査面上に静電潜像を形成する。現像ユニット３４は、上記静電潜像をトナーにより現像して、感光体３１の表面にトナー像を形成するものである。転写ユニット３５は、感光体３１の表面のトナー像を被記録用紙Ｐに転写するものである。クリーナー３６は、転写後の感光体３１の表面に残留しているトナーを除去するものであり、除電ユニット３７は、感光体３１の表面の残留電荷を除去するものである。
【００２２】
定着手段４は、画像形成手段３の用紙搬送方向の下流側に配置され、画像形成手段３においてトナー像が転写された被記録用紙Ｐを、加熱ローラ４１と、この加熱ローラ４１に押し付けられる加圧ローラ４２とで挟んで加熱加圧する。この加熱加圧により、未定着のトナーを溶融加熱し、被記録用紙Ｐ上にトナー像を定着させるものである。
【００２３】
この複写機１の基本的な作動状態を簡単に説明する。帯電装置３２により図１で時計方向に回転する感光体３１が一様に帯電され、画像読取手段５で読み取られた画像情報に基づいて、例えば、レーザ走査装置などからなる光走査ユニット３３からのレーザビームＬにより感光体３１上に静電潜像が形成され、現像ユニット３４により静電潜像に現像剤が付着されてトナー像が形成される。
【００２４】
上記のようにしてトナー像が形成された感光体３１に向けて、給紙部２から被記録用紙Ｐが画像形成手段３に搬送される。このとき、被記録用紙Ｐは、レジストローラ対２３により、感光体３１に形成されたトナー像と同期を取りながら搬送される。その後、画像形成手段３において転写ユニット３５により感光体３１の表面におけるトナー像が被記録用紙Ｐに転写される。そして、未定着トナー像を担持した被記録用紙Ｐは、定着手段４０に搬送され、加熱ローラ４１と、加圧ローラ４２とで挟んで加熱加圧し、未定着のトナーを溶融加熱して、被記録用紙Ｐ上にトナー像が定着される。定着手段４を通過した被記録用紙Ｐは、排出ローラ対２４によって排出トレイ２５上に排出される。
【００２５】
そして、転写ユニット３５による転写後に感光体３１は、クリーナー３６および除電ユニット３７で残留トナー、残留電荷を除去して、必要に応じて再び帯電装置３２で帯電される。
【００２６】
次に、本発明の特徴部分にかかる帯電装置３２の構成について、図２乃至図７に基づいて説明する。図２は、本実施形態に係る帯電装置３２の概略構成の一例を示す概略上面図、図３は、図２に示す帯電装置３２のハウジングを取除いた状態を示す概略上面図、図４は、図２に示す帯電装置３２のハウジングを取除いた状態を示す概略正面図である。図５は、図２に示す帯電装置３２に用いられる位置決め手段の一例を示す概略図、図６は、図２におけるＡ−Ａ視拡大断面図である。図７は、帯電装置３２の帯電ワイヤが回転位置にある状態を示す概略正面図である。なお、図３、図４及び図７には、ハウジングを一点差線で示してある。
【００２７】
本実施形態では、帯電装置３２は、コロナ放電用の帯電ワイヤ３２１と、帯電ワイヤ３２１の両端を支持するワイヤ支持軸３２２と、帯電ワイヤ３２１を内部に収容し、感光体３１の表面側を開口した断面がコ字状に形成されたハウジング３２３とを備えている。また、帯電装置３２は、ワイヤ支持軸３２２を介して帯電ワイヤ３２１が装着されたワイヤ回転手段７を備え、このワイヤ回転手段７により、帯電ワイヤ３２１は、感光体３１の表面に対して、例えば、順次所定の角度ずつ回転可能に構成されている。また、帯電装置３２は、帯電ワイヤ３２１に一定のテンションを付与して感光体３１から所定の距離を隔てた帯電位置に位置決めするための位置決め手段８と、帯電ワイヤ３２１を位置決め手段８側に付勢するとともに、この付勢を解除して帯電ワイヤ３２１を回転する回転位置に移動するワイヤ付勢手段９を備えている。更に、帯電装置３２は、帯電ワイヤ３２１を清掃する清掃手段１０を備えている。
【００２８】
尚、前述の「帯電位置」とは、帯電ワイヤ３２１により感光体３１への帯電を行うための位置である。また、「回転位置」とは、帯電ワイヤ３２１を位置決め手段８から離間し、位置決め手段８等に当たることなく、帯電ワイヤ３２１をワイヤ回転手段７により回転することができる位置である。
【００２９】
帯電ワイヤ３２１は、感光体３１の幅方向（長手方向）に亘って配設され、図示しない電源から、例えば、４〜５ＫＶの高電圧が印加され、コロナ放電を発生させ、このコロナ放電によって、感光体３１の表面層を所定の電位に帯電させる。この帯電ワイヤ３２１への高電圧の印加は、電源（不図示）に接続された印加電圧端子１８を介して行われる。この印加電圧端子１８は、例えば、板バネ状に形成した金属板からなり、図４に示すように帯電ワイヤ３２１が帯電位置にあるときに、印加電圧端子１８の接触端子部１８ａが、導電性を有するワイヤ支持軸３２２に、弾性により接触するように構成されている。そして、図７に示すように帯電ワイヤ３２１が回転されるとき、即ち、回転位置にあるときには、印加電圧端子１８の接触端子部１８ａと、ワイヤ支持軸３２２とは、離間して非接触の状態である。  ワイヤ回転手段７は、例えば、ステッピングモータ等からなるワイヤ回転用モータ７１と、ワイヤ回転用モータ７１の駆動伝達軸７２の両端近傍に設けられた駆動歯車７３と、この駆動歯車７３と噛合うようにワイヤ支持軸３２２に設けられた従動歯車７４とから形成されている。ワイヤ回転手段７は、感光体３１による画像形成、即ち、複写機１による複写枚数が所定枚数、例えば、１０００枚に達した時点で、ワイヤ回転用モータ７１を駆動され、この回転に伴ってワイヤ支持軸３２２に装着された帯電ワイヤ３２１は、感光体３１の表面に対向して、所定の角度、例えば、９０度ずつ回転する。
【００３０】
位置決め手段８は、ハウジング３２３の、例えば、天井部分の両端に設けられており、例えば、図５に示すように絶縁物等により形成された支持部材８１と、圧縮コイルバネ８２により構成され、帯電ワイヤ３２１がワイヤ付勢手段９により、位置決め手段８側に付勢されることにより、一定のテンションを付与し、帯電ワイヤ３２１が所定の帯電位置に位置するよう位置決めを行っている。
【００３１】
また、ワイヤ付勢手段９は、ハウジング３２３の外側の両端近傍に各々配設され、例えば、ステッピングモータ等からなるカム回転用モータ９１と、カム回転用モータ９１の駆動軸９２に設けられた、例えば、円板偏心カム９３を備え、円板偏心カム９３の外周部とワイヤ支持軸３２２とが当接するように配設されている。このハウジング３２３の外側の両端近傍に設けられた２個のカム回転用モータ９１は、同期して回転するように、たとえば、図示しない制御手段により制御されている。そして、この構成により、円板偏心カム９３を原節とし、円板偏心カム９３の回転によって、ワイヤ支持軸３２２を従節として上下動する円板カム機構を構成している。このワイヤ付勢手段９は、帯電ワイヤ３２１の両側に設けられており、両端のワイヤ支持軸３２２間に張架された帯電ワイヤ３２１は、円板偏心カム９３における偏心量の倍の距離を上下動する。
【００３２】
そして、帯電ワイヤ３２１は、円板カム機構を形成する円板偏心カム９３とワイヤ支持軸３２２とにより、常に位置決め手段８側に付勢され、所定のテンションが付与される。この結果、帯電ワイヤ３２１は、両端のワイヤ支持軸３２２間に張架された状態で、感光体３１に対して所定の距離を隔てた帯電位置に配設される。また、ワイヤ回転手段７により帯電ワイヤ３２１を回転する際には、カム回転用モータ９１が駆動され、円板偏心カム９３が、例えば、１８０度回転される。これにより、位置決め手段８側に対する付勢が解除され、ワイヤ支持軸３２２は、帯電位置から下降して回転位置に移動する。この結果、帯電ワイヤ３２１は、位置決め手段８から接離され、帯電ワイヤ３２１が回転可能な状態となる。
【００３３】
清掃手段１０は、例えば、図６に示すように、帯電ワイヤ３２１を跨ぐように、例えば、コ字状の清掃部材１０１を収容したホルダー１０２と、このホルダー１０２をハウジング３２３の上面外側から支持する可動支持部１０３を備えている。可動支持部１０３には、コロ１０４が設けられ、例えば、ハウジング３２３の上面を、図示しない駆動機構、例えば、清掃手段駆動用モータ等により駆動され、可動支持部１０３及び清掃部材１０１を収容したホルダー１０２は、一体的に左右に往復移動する。この往復移動により、帯電ワイヤ３２１の上側部分や両側面部分に付着したトナーや放電時に発生する放電生成物等が清掃部材１０１により拭い取られる。この清掃手段１０は、例えば、複写枚数が所定枚数、例えば、３０００枚に達した時点で駆動される。
【００３４】
図８は、上述した帯電装置３２における帯電ワイヤ３２１を回転及び清掃するための帯電ワイヤ回転制御手段及び清掃制御手段の概略構成を示すブロック構成図である。
本実施形態では、例えば、複写機１の複写枚数をカウントするカウンタ１１と、カウンタ１１が所定の複写枚数をカウントしたことを検出して回転指令信号Ｐ１又は／及び帯電ワイヤ清掃信号Ｐ２を発する所定カウンタ枚数検知手段１２を備えている。回転指令信号Ｐ１は、例えば、複写枚数が１０００枚に達した時点で発するように設定されている。また、帯電ワイヤ清掃信号Ｐ２は、例えば、複写枚数が３０００枚に達し、前述の帯電ワイヤ回転操作終了後した時点で発するように設定されている。
【００３５】
帯電ワイヤ回転制御手段１３は、ワイヤ付勢手段制御部１４と、ワイヤ回転制御部１５とを備えている。ワイヤ付勢手段制御部１４は、所定カウンタ枚数検知手段１２による回転指令信号Ｐ１を受けてカム回転用モータ９１によるカム回転動作を所定角度、例えば、１８０度回転（付勢解除）制御させてから、ワイヤ回転信号Ｐ３を発する。また、ワイヤ付勢手段制御部１４は、ワイヤ回転制御部１５からのワイヤ回転停止信号Ｐ４を受けて、カム回転用モータ９１によるカム回転動作を更に所定角度、例えば、１８０度回転（付勢）させるように制御している。また、ワイヤ回転制御部１５は、ワイヤ付勢手段制御部１４からのワイヤ回転信号Ｐ３を受けてワイヤ回転用モータ７１による帯電ワイヤ３２１を所定角度、例えば、９０度回転させてから、ワイヤ回転停止信号Ｐ４をワイヤ付勢手段制御部１４に発するように制御している。
【００３６】
清掃制御手段１６は、所定カウンタ枚数検知手段１２による帯電ワイヤ清掃信号Ｐ２を受けて清掃手段駆動用モータ１７を、正逆駆動し、図２に矢印で示すように清掃手段１０を左右に往復移動して、清掃部材１０１により帯電ワイヤ３２１を清掃するように制御している。
【００３７】
次に、上述した帯電ワイヤ３２１の回転操作及び清掃について、図９及び図１０を参照しながら説明する。図９及び図１０は、ワイヤ回転手段７による帯電ワイヤ３２１の昇降動作を説明するための模式図であって、図９は、帯電位置を示し、図１０は、回転位置を示す。
【００３８】
上述したような複写機１の動作により画像形成が行われ、帯電ワイヤ３２１の感光体３１に対向する部分（下面側）が汚れ、帯電ワイヤ３２１の回転により綺麗な部分（側面側）に切り替える場合について説明する。先ず、カウンタ１１が所定の複写枚数、例えば、１０００枚をカウントしたことを所定カウンタ枚数検知手段１２が検知し、帯電ワイヤ回転制御手段１３に回転指令信号Ｐ１を発する。帯電ワイヤ回転制御手段１３のワイヤ付勢手段制御部１４は、複写機１が複写動作を行っていないことを、例えば、図示しない制御手段からの情報に基づいて確認した後、カム回転用モータ９１を所定角度、例えば、１８０度回転するように駆動制御する。カム回転用モータ９１の駆動により、図９に示す円板偏心カム９３が図１０のように１８０度回転すると、円板偏心カム９３の外周部に当接したワイヤ支持軸３２２は所定量下降し、帯電ワイヤ３２１は、回転位置に至る。
【００３９】
その後、ワイヤ付勢手段制御部１４は、ワイヤ回転信号Ｐ３をワイヤ回転制御部１５に出力する。ワイヤ回転制御部１５は、ワイヤ付勢手段制御部１４からのワイヤ回転信号Ｐ３を受けてワイヤ回転用モータ７１を９０度回転するように駆動制御する。ワイヤ回転用モータ７１の駆動により、駆動伝達軸７２の両端近傍に設けられた駆動歯車７３が回転し、これに伴って駆動歯車７３と噛合うワイヤ支持軸３２２に設けられた従動歯車７４が回転する。この回転により、ワイヤ回転手段７にワイヤ支持軸３２２を介して装着された帯電ワイヤ３２１が９０度回転され、汚れた部分（下面側）から綺麗な部分（側面側）が新たに感光体３１に対向する位置(下側)に配設される。
【００４０】
その後、ワイヤ回転制御部１５は、ワイヤ回転停止信号Ｐ４をワイヤ付勢手段制御部１４に出力する。ワイヤ付勢手段制御部１４は、ワイヤ回転制御部１５からのワイヤ回転停止信号Ｐ４を受けて、カム回転用モータ９１によるカム回転動作を更に所定角度、例えば、１８０度回転するように駆動制御する。カム回転用モータ９１の駆動により、図１０に示す円板偏心カム９３が１８０度回転する。円板偏心カム９３が図１０から図９のように１８０度回転すると、円板偏心カム９３の外周部に当接したワイヤ支持軸３２２は所定量上昇し、帯電ワイヤ３２１は、帯電位置に至る。この状態で、帯電動作が可能となる。そして、ワイヤ付勢手段制御部１４は、ワイヤ回転終了信号Ｐ５を所定カウンタ枚数検知手段１２に発する。
【００４１】
その後、上述した帯電ワイヤ回転操作が、例えば、３回繰り返され、カウンタ１１が、例えば、複写枚数が３０００枚をカウントし、これを所定カウンタ枚数検知手段１２が検知し、かつ、ワイヤ回転終了信号Ｐ５を受けると、所定カウンタ枚数検知手段１２は、帯電ワイヤ清掃信号Ｐ２を清掃制御手段１６に発する。清掃制御手段１６は、複写機１が複写動作を行っていないことを確認した後、清掃手段駆動用モータ１７を、正逆駆動し、清掃手段１０を左右に往復移動して、清掃部材１０１により帯電ワイヤ３２１を清掃するように制御する。尚、上述した帯電ワイヤ３２１の回転操作及び清掃は、複写機が複写動作を行っていないタイミング、例えば、複写指示待ちの状態のときに実施するように設定するのが好ましい。
【００４２】
以上の構成による本実施形態によれば、帯電ワイヤ３２１を、ワイヤ回転手段７に感光体３１の表面に対向して回転可能に装着すればよいので、その構成は極めて簡単である。しかも、帯電ワイヤ３２１の感光体３１に対向している部分が汚れた場合、帯電ワイヤ３２１をワイヤ回転手段７により回転させ、新しい部分を感光体３１に対向するようにすることにより、簡単に帯電装置３２を長寿命とすることができる。この結果、帯電ワイヤ３２１の汚れに起因する画像不具合を防止できる。
【００４３】
また、ワイヤ回転手段７は、帯電ワイヤ３２１を回転するように構成しているので、感光体３１に対向する部分を、より確実に、汚れた部分から新しい部分に切り替えることができるので都合が良い。
【００４４】
また、帯電ワイヤ３２１は、感光体３１に対して所定位置、即ち、帯電位置に配設されるように位置決め手段８により規制されているので、帯電ワイヤ３２１と感光体３１との距離が、常に帯電に適した距離となり、帯電ワイヤを回転した後においても、感光体３１の表面層を所定の電位に帯電させることができる。
【００４５】
また、帯電ワイヤ３２１は、位置決め手段８側にワイヤ付勢手段９により付勢され、ワイヤ回転手段７により帯電ワイヤ３２１を回転する際には、ワイヤ付勢手段９による付勢が解除されるので、回転操作の際に、帯電ワイヤ３２１を損傷することが無い。また、帯電ワイヤ３２１は、回転後においても所定位置に、簡単に配置することができるので、都合が良い。
【００４６】
また、帯電装置３２は、帯電ワイヤ３２１を清掃する清掃手段１０を備えているので、帯電ワイヤ３２１を回転した後、汚れた部分を簡単に清掃することができ、より帯電装置３２の長寿命化を図ることができ、都合が良い。
【００４７】
更に、ワイヤ回転手段７を制御するワイヤ回転制御部１５と、ワイヤ付勢手段９を制御するワイヤ付勢手段制御部１４と、を有する帯電ワイヤ回転制御手段１３を設け、帯電ワイヤ３２１の感光体３１に対向している部分が汚れた場合、帯電ワイヤ３２１を回転させ、新しい部分を感光体３１に対向するように自動的に切り替えることができるので、都合が良い。
【００４８】
なお、上述した各実施形態は、本発明の好適な実施形態であるが、本発明はこれに限定されるものではなく、本発明の要旨を逸脱しない範囲において、種々変形実施可能である。
【００４９】
例えば、上述した実施形態では、複写機を例に挙げて説明したが、本発明は、例えば、プリンタ装置、ファクシミリ装置、そしてコピー機能、プリンタ機能、スキャナ機能およびファクシミリ機能などの各種機能を兼ね備えた複合機などに対しても適用可能である。
【００５０】
また、上述の実施形態では、ワイヤ付勢手段９として、円板偏心カム９３を用いて円板カム機構を構成したが、例えば、板カム、円筒カム等と、ワイヤ支持軸３２２とによりカム機構を構成しても良いのは勿論である。
【００５１】
更に、上述の実施形態では、ワイヤ付勢手段９としてカム機構を用いたが、これに限らず、例えば、ボールネジ機構や、ソレノイド、モータ等他の機構によって帯電ワイヤ３２１を、位置決め手段８側に付勢するようにしても良いのは勿論である。
【産業上の利用可能性】
【００５２】
本発明の活用例としては、帯電ワイヤ有する帯電装置を備えた画像形成装置が挙げられる。
【図面の簡単な説明】
【００５３】
【図１】本発明の一実施形態に係る画像形成装置としての複写機に適用した場合の概略構成を示す概略構成図である。
【図２】本実施形態に係る帯電装置の概略構成の一例を示す概略上面図である。
【図３】図２に示す帯電装置のハウジングを取除いた状態を示す概略上面図である。
【図４】図２に示す帯電装置のハウジングを取除いた状態を示す概略正面図である。
【図５】図２に示す帯電装置に用いられる位置決め手段の一例を示す概略図である。
【図６】図２におけるＡ−Ａ視拡大断面図である。
【図７】帯電装置の帯電ワイヤが回転位置にある状態を示す概略正面図である。
【図８】帯電ワイヤ回転制御手段及び清掃制御手段の概略構成を示すブロック構成図である。
【図９】ワイヤ回転手段７による帯電ワイヤの昇降動作を説明するための模式図であって、帯電位置を示す図である。
【図１０】ワイヤ回転手段による帯電ワイヤの昇降動作を説明するための模式図であって、回転位置を示す図である。
【符号の説明】
【００５４】
Ｐ１…回転指令信号、Ｐ３…ワイヤ回転信号、Ｐ４…ワイヤ回転停止信号、１…複写機（画像形成装置）、７…ワイヤ回転手段、８…位置決め手段、９…ワイヤ付勢手段、１０…清掃手段、１２…所定カウンタ枚数検知手段、１３…帯電ワイヤ回転制御手段、１４…ワイヤ付勢手段制御部、１５…ワイヤ回転制御部、３１…感光体、３２…帯電装置、３２１…帯電ワイヤ
【図１】
2006153974.tif 000003
【図２】
2006153974.tif 000004
【図３】
2006153974.tif 000005
【図４】
2006153974.tif 000006
【図５】
2006153974.tif 000007
【図６】
2006153974.tif 000008
【図７】
2006153974.tif 000009
【図８】
2006153974.tif 000010
【図９】
2006153974.tif 000011
【図１０】
2006153974.tif 000012